(57)【要約】【課題】  保持性の良好な記録再生装置を提供する。【解決手段】  映像の撮影、記録、再生を行うカメラ本体１０と、映像の表示を行うモニター部２０とを備えた記録再生装置において、カメラ本体１０は、映像の撮影機能を有する第１筺体１１と、撮影した映像の記録機能および再生機能を有する第２筺体１２とを備え、第１筺体１１は、映像を撮影するレンズ部１３を内部に備え、第２筺体１２は、映像の記録および再生を行うディスクデッキ部１１０を内部に備え、ディスクデッキ部１００は、ヘッド１１６と、このヘッド１１６を移動させる移動機構とからなる記録再生用のピックアップ装置１１１を有して、第２筺体の内部中央に配置され、レンズ部１３は、ヘッド１６の移動方向の延長線上に位置するように、第１筺体１１の内部に配置される。【選択図】  図４
2008085937.tif 000002
【特許請求の範囲】
【請求項１】
映像の撮影、記録、再生を行うカメラ本体と、映像の表示を行うモニター部とを備えた記録再生装置において、
前記カメラ本体は、映像の撮影機能を有する第１筺体と、撮影した映像の記録機能および再生機能を有する第２筺体とを備え、
前記第１筺体は、映像を撮影するレンズ部を内部に備え、
前記第２筺体は、映像の記録および再生を行うディスクデッキ部を内部に備え、
前記ディスクデッキ部は、ヘッドと、このヘッドを移動させる移動機構とからなる記録再生用のピックアップ装置を有して、前記第２筺体の内部中央に配置され、
前記レンズ部は、前記ヘッドの移動方向の延長線上に位置するように、前記第１筺体の内部に配置されることを特徴とする記録再生装置。
【請求項２】
請求項１に記載の記録再生装置において、
前記第２筺体は、一方の面に前記モニター部が開閉可能に配置され、他方の面にディスクカバーが開閉可能に配置されていることを特徴とする記録再生装置。
【請求項３】
請求項１または請求項２に記載の記録再生装置において、
前記モニター部は、映像が表示される表示部と、この表示部の周囲に配置された操作ボタン群とを備え、
前記操作ボタン群は、前記表示部に表示する画像を切り替える複数の操作ボタンで構成されていることを特徴とする記録再生装置。
【請求項４】
請求項１から請求項３の何れかに記載の記録再生装置において、
前記第２筺体は、その前方下部に設けられた突出部を備え、
前記突出部は、マイク部と画像調整用の操作ボタンを備えていることを特徴とする記録再生装置。
【請求項５】
請求項１から請求項４の何れかに記載の記録再生装置において、
前記第１筺体は、開閉可能なフラッシュ部と、このフラッシュ部を開いた状態にするフラッシュオープンボタンとを備えていることを特徴とする記録再生装置。
【発明の詳細な説明】
【技術分野】
【０００１】
本発明は、記録媒体を介して画像情報の記録や再生を行う記録再生装置に関するものであり、特に、記録媒体として光ディスクを使用する記録再生装置に関する。
【背景技術】
【０００２】
近年、ビデオカメラ等の記録再生装置においては、高画質、高精細な画像情報の記録再生を行うために、記録媒体の大容量化が求められている。記録媒体の大容量化を図った記録再生装置としては、例えば、ＤＶＤ−ＲＡＭ等の光ディスクを記録媒体として使用したビデオカメラが実用化されている。このようなビデオカメラの従来例として、ディスクドライブ部やディスク収納部などが内蔵されたディスクデッキ部の一方の側面に、カメラレンズや撮像素子などを内蔵したカメラ部が一体化され、カメラ部の側面に液晶モニター部を開閉可能に設けた構成とし、カートリッジに収納された光ディスクをディスクデッキ部に装着し、ディスクデッキ部を片手で保持しながら画像の撮影や記録を行うビデオカメラが知られている。
【０００３】
また、最近では、カートリッジを使用せず、光ディスクをディスクデッキ部に直接装着するビデオカメラが知られている。
【０００４】
【特許文献１】特開２００１−１１１８７７号公報
【特許文献２】特開２００６−１５７４７２号公報
【発明の開示】
【発明が解決しようとする課題】
【０００５】
上記従来例で示すビデオカメラは、ディスクデッキ部の上部がカメラ部の上部よりも突出した構成となっており、この突出した部分を、ビデオカメラを保持した際の手掛け部分とすることができる。
【０００６】
しかしながら、上記従来例においては、主に映像情報を取り込むカメラレンズ部がカメラ本体の前方上方部に配置されるものが一般的であることから、ディスクデッキ部の突出部分の前方側（カメラレンズ部と隣接する部分）では、手掛け部分が浅くなっており、手の大きさによっては、突出部に手がうまく掛からない場合がある。
【０００７】
また、ビデオカメラにおいては、持ちやすさに加え、コンパクトにすることも求められている。ビデオカメラの大きさをコンパクトにするためには、ディスクドライブ部が光ディスクの投影面積内に収められるような構成、即ち、ビデオカメラの外観形状を円形にすることができればよい。
【０００８】
ところが、ディスクドライブ部は、光ディスクの外周近傍の記録領域に画像を記録したり、この記録領域に記録された画像を再生するために、必然的にディスクドライブ部のピックアップ装置が光ディスクの投影面積よりも張り出すようになっている。
【０００９】
しかし、従来のビデオカメラは、装置全体が大きいため、このディスクドライブ部の張り出しが目立っていなかったが、このことは、小型化されていくビデオカメラにおいて、今後、大きな課題となる。
【００１０】
そこで、本発明の目的とするところは、保持性が良好でコンパクトな記録再生装置を提供することにある。
【課題を解決するための手段】
【００１１】
上記目的を達成するため、本発明は、映像の撮影、記録、再生を行うカメラ本体と、映像の表示を行うモニター部とを備えた記録再生装置において、前記カメラ本体は、映像の撮影機能を有する第１筺体と、撮影した映像の記録機能および再生機能を有する第２筺体とを備え、前記第１筺体は、映像を撮影するレンズ部を内部に備え、前記第２筺体は、映像の記録および再生を行うディスクデッキ部を内部に備え、前記ディスクデッキ部は、ヘッドと、このヘッドを移動させる移動機構とからなる記録再生用のピックアップ装置を有して、前記第２筺体の内部中央に配置され、前記レンズ部は、前記ヘッドの移動方向の延長線上に位置するように、前記第１筺体の内部に配置される。
【発明の効果】
【００１２】
本発明によれば、保持性が良好でコンパクトな記録再生装置を提供することができる。
【発明を実施するための最良の形態】
【００１３】
以下、図１から図１２を参照して、この発明に係るビデオカメラについて詳細に説明する。図１から図５が第１の実施形態、図６から図１２が第２の実施形態を示している。なお、同一の部位や方向などは同一符号をもって示し、重複した説明を省略する。
【００１４】
（第１の実施形態）
まず、図１および図２を参照して、第１の実施形態に係る記録再生装置の外観構成を、ビデオカメラを例として説明する。図１は、第１の実施形態に係るビデオカメラの外観図であって、図１（ａ）が平面図、図１（ｂ）が正面図、図１（ｃ）が右側面図、図１（ｄ）が背面図、図１（ｅ）が底面図、図１（ｆ）が左側面図である。
【００１５】
図１において、符号１で総括的に示すのは、記録媒体として光ディスクを備えたビデオカメラであり、このビデオカメラ１は、画像の撮影機能や記録機能、再生機能などを有するカメラ本体１０と、このカメラ本体１０の一方の面に開閉可能に取り付けられるモニター部２０と、カメラ本体１０の他方の面に開閉可能に取り付けられるディスクカバー３０とを備えている。なお、この実施形態では、カメラ本体１０の右側面にモニター部２０、カメラ本体１０の左側面にディスクカバー３０が、それぞれヒンジ部４０ａ、４０ｂを介して開閉可能に取り付けられている。
【００１６】
カメラ本体１０は、主に撮影機能を有する第１筺体１１と、主に記録機能と再生機能とを有する第２筺体１２とから構成され、第１筺体１１は円筒形、第２筺体１２は平坦部を有する扁平な円筒形の外観を備えている。
【００１７】
第１筺体１１は、映像を撮影するレンズ部１３と開閉可能なフラッシュ部１４とフラッシュ部１４を開くためのフラッシュオープンボタン１５とを備えている。
【００１８】
第２筺体１２は、録画を開始するための録画ボタン２１と、ディスクカバー３０を開くためのオープンボタン２２と、静止画を撮影するためのフォトボタン２３と、撮影する画像の倍率を変更するズームボタン２４と、ビデオカメラ１の動作モードを切り替えるモード切替ボタン２９とを備えているとともに、外周面にビデオカメラ１を保持した際の指掛かり部分となる凹部２５が形成されている。また、ビデオカメラ１は、光ディスクに加え、メモリカード等の補助記録媒体１６０（図３参照）を使用できるようになっており、補助記録媒体１６０の着脱時に開かれるカードカバー２７が第２筺体１２に設けられている。さらに、ビデオカメラ１には、ストラップ取付部２６ａ、２６ｂに取り付けられる図示しないハンドストラップのロックを解除するロック解除ボタン２８が設けられている。
【００１９】
第２筐体１２の内部の略中央にはディスクデッキ部１１０（図３参照）が設けられており、このディスクデッキ部１１０により、記録媒体への画像の記録や記録媒体に記録された画像の再生が行われるようになっている。
【００２０】
第２筺体１２の下方前方には突起部５０が設けられており、この突起部５０に、撮影中の音声を収録するマイク部５１や、フォーカスやホワイトバランス等の調整、逆光の補正等、映像の調整を行う操作ボタン５２が配置されている。この実施形態では、フォーカスボタン５２ａと逆光補正ボタン５２ｂとバランス調整ボタン５２ｃとで操作ボタン５２が構成されている。
【００２１】
図２は、第１の実施形態に係るビデオカメラの外観図であって、図２（ａ）がモニター部およびフラッシュ部を開いた状態の平面図、図２（ｂ）がモニター部およびフラッシュ部を開いた状態の右側面図、図２（ｃ）がモニター部およびフラッシュ部を開いた状態の背面図、図２（ｄ）がディスクカバーを開いた状態の斜視図である。
【００２２】
図２において、モニター部２０を矢印Ａの方向へヒンジ部４０ａを介して動かすことにより、第２筺体１２とモニター部２０との接続が解除された状態となり、この状態でさらにモニター部２０を矢印Ｂの方向へヒンジ部４０ａを介して動かすことができるようになっている。これにより、使用状態に合わせてモニター部２０の位置を自由に調整できる。
【００２３】
図２において、フラッシュオープンボタン１５を操作することにより、図示しないロック機構を介してロックされた第１筺体１１とフラッシュ部１４との接続が解除され、フラッシュ部１４が突出するようになっている。なお、フラッシュ部１４は、第１筺体１１側に押し下げる（押し込む）ことにより、第１筺体１１に収納され、図示しないロック機構でロックされるようになっている。
【００２４】
このような構成とすることにより、ビデオカメラ１を使用しないときには、フラッシュ部１４を第１筐体１１収納することができるので、携帯時等にフラッシュ部１４の破損（傷付き）を防止するとともに、突出物の少ないシンプルな外観のビデオカメラ１とすることができる。
【００２５】
図２において、ディスクカバー３０は、オープンボタン２２を操作することにより、図示しないロック機構を介してロックされた第２筺体１２との接続が解除され、ヒンジ部４０ｂを介して開くようになっている。そして、光ディスクの取り付け、あるいは取り外しを行った後に、ディスクカバー３０を第２筺体１２側へ動かすことにより、ディスクカバー３０が図示しないロック機構でロックされるようになっている。
【００２６】
モニター部２０の背面側（裏面）には、表示部３１と複数の操作ボタンからなる操作ボタン群３２が設けられており、この操作ボタン群３２は、表示部３１の下方に配置されている。操作ボタン群３２は、例えば、表示部３１に各種のメニュー項目を表示したり、表示部３１の表示内容を切り替えたりすることができるようになっている。なお、この実施形態では、操作ボタン群３２を、それぞれディスクナビゲーションボタン３２ａ、メニューボタン３２ｂ、表示切替ボタン３２ｃで構成している。
【００２７】
このように、表示部３１と操作ボタン群３２を１つの面に配置することにより、従来のように、ビデオカメラ１の向きを変えることなく、表示部３１を見ながら操作ボタン群３２を操作することができる。
【００２８】
図２において、ビデオカメラ１は、モニター部２０を開くと、内蔵されたバッテリー６０が露出するようになっている。このバッテリー６０は解除ボタン６１を操作することにより、ビデオカメラ１から取り外せるようになっている。
【００２９】
これにより、従来は本体後方（本体背面）から張り出して配置されていたバッテリー６０をビデオカメラ１の内部に収納することができるので、ビデオカメラ１の大きさをよりコンパクトにすることができる。
【００３０】
次に、図３を参照して、第１の実施の形態に係るビデオカメラの装置構成を説明する。図３はビデオカメラの構成を示す装置ブロック図である。
【００３１】
図３において、ビデオカメラ１は、その動作を統括的に制御する制御部１００を備えており、この制御部１００にバスを介して各種装置やスイッチ類が接続されている。
【００３２】
ディスクデッキ部１１０は、記録再生用のピックアップ装置１１１と記録媒体装着部１１２とディスクモータ１１３とから構成されたドライブ部１１４を備え、このドライブ部１１４はカメラ本体１０（第２筺体１２）の内部に設けられている。また、このディスクデッキ部１１０は、通常、ディスクカバー３０により覆われており、ディスクデッキ部１１０の上面とディスクカバー３０の背面との間に、記録媒体１１５を収納する収納空間を構成している。そして、このディスクカバー３０を開くことにより、収納空間が露出し、記録媒体１１５を記録媒体装着部１１２に装着してディスクカバー３０を閉じることにより、ディスクデッキ部１１０に記録媒体１１５が収納されるようになっている。
【００３３】
操作部１２０は、録画ボタン２１とモード切替ボタン２９とズームボタン２４とオープンボタン２２とフォトボタン２３とロック解除ボタン２８とから構成され、この操作部１２０は第２筺体１２に配置されている。
【００３４】
外部機器接続端子１３０は、携帯電話機やＰＤＡ、ＰＣ等の端末装置やビデオテープレコーダー等の映像機器、電源アダプターなどを接続することができるようになっている。そして、これらの端末装置や映像機器を接続した状態では、ビデオカメラ１と端末装置、映像機器との間で、画像データの送受信が行えるようになっている。例えば、外部機器接続端子１３０を介してビデオテープレコーダーを接続した場合、ビデオテープに記録されたアナログ映像を再生し、再生されたアナログ映像信号を、Ａ／Ｄ変換器１４０を通してデジタル映像信号に変換し、光ディスク等の記録媒体１１５にデジタル映像として記録することができるようになっている。
【００３５】
次に、図４を参照して、第１の実施形態に係るビデオカメラの内部レイアウトについて説明する。図４はビデオカメラの内部レイアウトを示す図であり、図４（ａ）が平面図、図４（ｂ）が正面図、図４（ｃ）が右側面図である。なお、図４（ｃ）においては、本発明の特徴を理解しやすくするため、構成要素の一部を省略している。
【００３６】
図４において、第２筺体１２の内部の略中央にはメイン基板２００が配置されており、このメイン基板２００に上述した制御部１００やレンズ部１３、ディスクデッキ部１１０、バッテリー６０等の各種装置が接続されている。また、第２筺体１２の内周面にはスイッチ基板２１０が設けられており、このスイッチ基板２１０に操作部１２０を構成する各種ボタンが接続されている。そして、このスイッチ基板２１０はメイン基板２００と接続されている。また、第１筺体１１の内部にはレンズ部１３が配置されている。
【００３７】
この実施形態に係るビデオカメラ１の大きな特徴は、第１筺体１１の内部に配置されるレンズ部１３を、ディスクドライブ部１１４に設けられたピックアップ装置１１１の移動方向の延長線上に配置した構成にある。具体的には、図４（ｃ）で示すように、ヘッド１１６と、このヘッド１１６の両端部に設けられた軸部１１７と、軸部１１７を介してヘッド１１６を移動可能に支持するガイドレール１１８とでビックアップ装置１１１を構成し、ガイドレール１１８に沿って移動するヘッド１１６の移動方向（矢印Ｄの方向）の延長線Ｐ上に、レンズ部１３を配置した構成とする。また、軸部１１７とガイドレール１１８は、ヘッド１１６を移動させる移動機構を構成している。
【００３８】
前述したように、ディスクドライブ部１１４は、光ディスクの外周近傍の記録領域に画像を記録したり、この記録領域に記録された画像を再生するために、必然的にディスクドライブ部１１４のピックアップ装置１１１が光ディスクの投影面積よりも張り出すようになっている。
【００３９】
この実施形態では、レンズ部１３を、ディスクドライブ部１１４に設けられたピックアップ装置１１１の移動方向の延長線Ｐ上に配置することにより、ディスクドライブ部１１４の張出部をレンズ部１３により吸収できるので、第２筺体１２の本体形状、即ち、ディスク形状を印象付ける円形を基調としたコンパクトなビデオカメラ１を実現することができる。
【００４０】
また、レンズ部１３を、ディスクドライブ部１１４に設けられたピックアップ装置１１１の移動方向の延長線Ｐ上に配置することにより、第１筺体１１が第２筺体１２の前方中央部に位置するので、第２筺体１２の形状を円形とすることができ、ビデオカメラ１を保持した際の指掛かり、特に、円形の第２筺体１２に小指をフィットさせることができるので、ビデオカメラ１の保持性を良好にすることができる。
【００４１】
次に、図５を参照して、第１の実施形態に係るビデオカメラの使用状態について説明する。図５はビデオカメラの使用状態を示す図であり、図５（ａ）はモニター部を開いた状態を示す図、図５（ｂ）はモニター部を反転させて収納した状態を示す図である。
【００４２】
図５において、ヒンジ部４０ａは、モニター部２０を上下方向（垂直方向）および左右方向（水平方向）に回転させることができる２軸ヒンジで構成されており、モニター部２０の向きを任意の方向に変えることができる。例えば、図５（ａ）で示すように、モニター部２０を水平方向へ９０°回転させることで、モニター部２０がレンズ部１３に対して平行な状態となり、使用者（撮影者）はレンズ部１３を被写体に向け、レンズ部１３で捉えた映像を表示部３１で確認しながら撮影できる。即ち、図５（ａ）で示す状態では、表示部３１に表示される映像を、少し離れた視点で見るのに適した形態としている。
【００４３】
また、モニター部２０を図５（ａ）で示す状態から垂直方向に１８０°回転させ、ビデオカメラ１に収納することで、図５（ｂ）で示すように、表示部３１に表示される映像を、近い視点で見るのに適した形態としている。なお、図５（ｂ）で示す形態においては、特に記録媒体１１５に記録された画像を再生するような場合に適している。
【００４４】
（第２の実施形態）
次に、図６から図１２を参照して、第２の実施形態に係る記録再生装置（ビデオカメラ）の外観構成を説明する。図６は、第２の実施形態に係るビデオカメラの外観図であって、図６（ａ）が平面図、図６（ｂ）が正面図、図６（ｃ）が右側面図、図６（ｄ）が背面図、図６（ｅ）が底面図、図６（ｆ）が左側面図である。
【００４５】
図６において、符号２で総括的に示すのは、記録媒体として光ディスクを備えたビデオカメラであり、このビデオカメラ２は、画像の撮影機能や記録機能、再生機能などを有するカメラ本体３００と、このカメラ本体３００の一方の面に開閉可能に取り付けられるモニター部３１０と、カメラ本体３００の他方の面に開閉可能に取り付けられるディスクカバー３２０とを備えている。なお、この実施形態では、本体右側面にモニター部３１０、本体左側面にディスクカバー３２０が、それぞれヒンジ部３３０ａ、３３０ｂを介して開閉可能に取り付けられている。
【００４６】
カメラ本体３００は、画像を撮影するレンズ部１３と、撮影中の音声を収録するマイク部５１と、録画を開始する録画ボタン２１と、ディスクカバー３２０を開くためのオープンボタン２２と、静止画を撮影するためのフォトボタン２３と、撮影する画像の倍率を変更するズームボタン２４と、ビデオカメラ２の動作モードを設定するモード切替ボタン２９と、フラッシュ１４と、モニター部３１０を開くためのオープンボタン３３０とを備えているとともに、外周面にビデオカメラ２を保持した際の指掛かり部分となる凹部２５が形成されている。また、ビデオカメラ２は、光ディスクに加え、メモリカード等の補助記録媒体１６０を使用できるようになっており、補助記録媒体１６０の着脱時に開かれるカードカバー２７がカメラ本体３００に設けられている。
【００４７】
モニター部３１０は、その表面にサブ表示部３１１を備えており、このサブ表示部３１１にバッテリー６０や記録容量の残量表示等を行うことができるようになっている。
【００４８】
図７は、第２の実施形態に係るビデオカメラの外観図であって、図７（ａ）がモニター部を開いた状態の平面図、図７（ｂ）がモニター部を開いた状態の右側面図、図７（ｃ）がモニター部を開いた状態の背面図、図７（ｄ）がディスクカバーを開いた状態の斜視図である。
【００４９】
図７において、モニター部３１０は、オープンボタン３３０を操作することにより、カメラ本体３００とモニター部３１０との接続が解除され、モニター部３１０を動かすことができる状態となる。この状態でヒンジ部３３０ａを介してモニター部３１０を動かし、その位置を自由に調整することができる。また、モニター部３１０の背面側（裏面）には、表示部３１と操作ボタン群３１２、３１３が設けられており、この操作ボタン群３１２、３１３は、表示部３１の上方および下方にそれぞれ配置されている。この操作ボタン群３１２、３１３は、例えば、表示部３１に各種のメニュー項目を表示したり、表示部３１の表示内容を切り替えたりするとともに、逆光を補正したり、フォーカスやホワイトバランス等の調整を行うことが出来るようになっている。なお、この実施形態では、表示部の上方に配置された操作ボタン群３１２を、ディスクナビゲーションボタン３２ａ、メニューボタン３２ｂ、表示切替ボタン３２ｃで構成し、表示部３１の下方に配置された操作ボタン群３１３を、フォーカスボタン３３ａ、逆光補正ボタン３３ｂ、バランス調整ボタン３３ｃで構成している。
【００５０】
ディスクカバー３１０は、オープンボタン３３０を操作することにより、図示しないロック機構を介してロックされたカメラ本体３００との接続が解除され、ヒンジ部３３０ｂを介して開くようになっている。そして、光ディスクの取り付け、あるいは取り外しを行った後に、ディスクカバー３１０をカメラ本体３００の方向へ押すように動かすことにより、図示しないロック機構でロックされるようになっている。
【００５１】
次に、図８を参照して、第２の実施の形態に係るビデオカメラの装置構成を説明する。図８はビデオカメラの構成を示す装置ブロック図である。
【００５２】
図８において、操作部３４０は、録画ボタン２１とモード切替ボタン２９とオープンボタン２２とフォトボタン２３とオープンボタン３３０とから構成され、この操作部３４０はカメラ本体３００の背面に配置されている。
【００５３】
モニター部３１０は、表示部３１と、主に表示部３１の表示内容を切り替える操作ボタン群３１２と、主に画像の調整を行う操作ボタン群３１３と、サブ表示部３１１とを備えている。
【００５４】
なお、図８において、その他の部分については第１の実施形態と同様な構成であるため、詳細な説明は省略する。
【００５５】
次に、図９を参照して、第２の実施形態に係るビデオカメラの内部レイアウトについて説明する。図９はビデオカメラの内部レイアウトを示す図であり、図９（ａ）が平面図、図９（ｂ）が正面図、図９（ｃ）が右側面図である。なお、図９（ｃ）においては、本発明の特徴を理解しやすくするため、構成要素の一部を省略している。
【００５６】
図９において、カメラ本体３００の内部上方にレンズ部１３、内部下方にメイン基板２００が配置されており、このメイン基板２００に制御部１００やレンズ部１３、ディスクデッキ部１１０、バッテリー６０等の各種装置が接続されている。また、レンズ部１３の後方には、マイク部５１とスイッチ基板２１０が設けられており、このマイク部５１とスイッチ基板２１０は、メイン基板２００に接続されている。そして、スイッチ基板２１０には、操作部３４０を構成する各種のボタンが接続されている。
【００５７】
この実施形態に係るビデオカメラ２の大きな特徴は、ディスクドライブ１１４の上方（張出部側）で、かつピックアップ装置１１１の移動方向の延長線上にレンズ部１３を配置した構成にある。具体的には、図９（ｃ）で示すように、ヘッド１１６と、このヘッドの両端部に設けられた軸部１１７と、軸部１１７を介してヘッド１１６を移動可能に支持するガイドレール１１８とでビックアップ装置１１１を構成し、ガイドレール１１８に沿って移動するヘッド１１６の移動方向（矢印Ｄの方向）の延長線Ｐ上に、レンズ部１３を配置した構成とする。また、軸部１１７とガイドレール１１８は、ヘッド１１６を移動させる移動機構を構成している。
【００５８】
前述したように、ディスクドライブ部１１４は、光ディスクの外周近傍の記録領域に画像を記録したり、この記録領域に記録された画像を再生するために、必然的にディスクドライブ部１１４のピックアップ装置１１１が光ディスクの投影面積よりも張り出すようになっている。
【００５９】
この実施形態では、第１の実施形態と同様に、レンズ部１３を、ディスクドライブ部１１４に設けられたピックアップ装置１１１の移動方向の延長線Ｐ上に配置することにより、ディスクドライブ部１１４の張出部をレンズ部１３により吸収できるので、ディスク形状を印象付ける円形を基調としたコンパクトなビデオカメラ２を実現することができる。
【００６０】
また、レンズ部１３を、ディスクドライブ部１１４に設けられたピックアップ装置１１１の移動方向の延長線Ｐ上に配置することにより、カメラ本体３００の形状を円形とすることができ、ビデオカメラ２を保持した際に、凹部２５に指を掛けながら、円形のカメラ本体３００を手の平にフィットさせることができるので、ビデオカメラの保持性を良好にすることができる。
【００６１】
次に、図１０を参照して、第２の実施形態に係るビデオカメラの使用状態について説明する。図１０はビデオカメラの使用状態を示す図であり、図１０（ａ）はモニター部を開いた状態でビデオカメラを保持した状態を示す図、図１０（ｂ）はモニター部を閉じた状態でビデオカメラを保持した状態を示す図である。
【００６２】
図１０において、ヒンジ部３３０ａは、モニター部３１０を上下方向（垂直方向）および左右方向（水平方向）に回転させることができる２軸ヒンジで構成されており、モニター部３１０の向きを任意の方向に変えることができる。例えば、図１０（ａ）で示す状態でモニター部３１０を上下方向へ９０°回転させ、さらに左右方向へ９０°回転させることで、モニター部３１０がレンズ部１３に対して平行な状態となり、使用者（撮影者）はレンズ部１３を被写体に向け、レンズ部１３で捉えた映像を表示部３１で確認しながら撮影できる。即ち、図１０（ａ）で示す状態では、表示部３１に表示される映像を、少し離れた視点で見るのに適した形態としている。また、図１０（ｂ）で示すように、モニター部３１０が閉じた状態では、サブ表示部３１１に表示される映像を見ること、即ち、映像を近い視点で見るのに適した形態としている。
【００６３】
次に、図１１および図１２を参照して、サブ表示部の表示状態について説明する。図１１および図１２はサブ表示部の表示例を示す図であり、図１１（ａ）がサブ表示部に画像が表示された状態のビデオカメラの外観図、図１１（ｂ）および図１１（ｃ）、図１２（ａ）、図１２（ｂ）、図１２（ｃ）はサブ表示部の表示例を示す図である。
【００６４】
図１１において、サブ表示部３１１の周囲にはリングスイッチ３５０が設けられており、このリングスイッチ３５０を回転させることで、サブ表示部３１１の表示モードを切り替え、サブ表示部３１１に様々な映像を表示することができる。例えば、リングスイッチ３５０を「ｏｆｆ」から「ｉｎｆｏ」の位置へ回転させることで、図１１（ａ）で示すようにバッテリーや記録媒体の残量表示をサブ表示部に表示することができる。なお、サブ表示部３１１に表示する内容は、予め設定することができるようになっており、例えば、図１１（ｂ）で示すように、残量表示に加えて日付や時刻を表示したり、図１１（ｃ）で示すように、記録媒体の残量表示を静止画と動画に分けて表示することができる。
【００６５】
図１２（ａ）において、この実施形態では、リングスイッチ３５０を「ｌｏｏｋ」の位置へ回転させることで、例えば、サブ表示部３１１にアニメのキャラクターが表示されるようになっている。このようなキャラクター表示を行うことで、小さな子供を撮影する際、ビデオカメラ２に注目させるのに有効である。
【００６６】
図１２（ｂ）において、リングスイッチ３５０を「ｍｏｎ」の位置へ回転させることで、サブ表示部３１１にはレンズ部１３で捉えた被写体の映像が表示されるようになっている。このような表示を行うことで、被写体（人物）自身が撮影前に、撮影状態をチェックすることができる。
【００６７】
図１２（ｃ）において、リングスイッチ３５０を「ｌｉｇｈｔ」の位置へ回転させることで、サブ表示をライトとして使用できるようになっている。
【図面の簡単な説明】
【００６８】
【図１】第１の実施形態に係るビデオカメラの外観図である。
【図２】第１の実施形態に係るビデオカメラの外観図である。
【図３】第１の実施形態に係るビデオカメラの装置ブロック図である。
【図４】第１の実施形態に係るビデオカメラの内部レイアウト図である。
【図５】第１の実施形態に係るビデオカメラの使用状態図である。
【図６】第２の実施形態に係るビデオカメラの外観図である。
【図７】第２の実施形態に係るビデオカメラの外観図である。
【図８】第２の実施形態に係るビデオカメラの装置ブロック図である。
【図９】第２の実施形態に係るビデオカメラの内部レイアウト図である。
【図１０】第２の実施形態に係るビデオカメラの使用状態図である。
【図１１】サブ表示部の表示状態を示す図である。
【図１２】サブ表示部の表示状態を示す図である。
【符号の説明】
【００６９】
１…ビデオカメラ、２…ビデオカメラ、１０…カメラ本体、１１…第１筺体、１２…第２筺体、１３…レンズ部、１４…フラッシュ部、１５…フラッシュオープンボタン、２０…モニター部、２１…録画ボタン、２２…オープンボタン、２３…フォトボタン、２４…ズームボタン、２５…凹部、２６ａ…ストラップ取付部、２６ｂ…ストラップ取付部、２７…カードカバー、２８…ロック解除ボタン、２９…モード切替ボタン、３０…ディスクカバー、３１…表示部、３２…操作ボタン群、３２ａ…ディスクナビゲーションボタン、３２ｂ…メニューボタン、３２ｃ…表示切替ボタン、４０ａ…ヒンジ部、４０ｂ…ヒンジ部、５０…突起部、５１…マイク部、５２…調整ボタン、５２ａ…フォーカスボタン、５２ｂ…逆光補正ボタン、５２ｃ…バランス調整ボタン、６０…バッテリー、１００…制御部、１１０…ディスクデッキ部、１１１…ピックアップ装置、１１２…記録媒体装着部、１１３…ディスクモータ、１１４…ドライブ部、１１５…記録媒体、１１６…ヘッド、１１７…軸部、１１８…ガイドレール、１２０…操作部、１３０…外部機器接続端子、１４０…Ａ／Ｄ変換器、１６０…補助記録媒体、２００…メイン基板、２１０…スイッチ基板、３００…カメラ本体、３１０…モニター部、３１１…サブ表示部、３１２…操作ボタン群、３１３…操作ボタン群、３２０…ディスクカバー、３３０…オープンボタン、３３０ａ…ヒンジ部、３３０ｂ…ヒンジ部、３４０…操作部、３５０…リングスイッチ。
【図１】
2008085937.tif 000003
【図２】
2008085937.tif 000004
【図３】
2008085937.tif 000005
【図４】
2008085937.tif 000006
【図５】
2008085937.tif 000007
【図６】
2008085937.tif 000008
【図７】
2008085937.tif 000009
【図８】
2008085937.tif 000010
【図９】
2008085937.tif 000011
【図１０】
2008085937.tif 000012
【図１１】
2008085937.tif 000013
【図１２】
2008085937.tif 000014